(57)【要約】【課題】各地区支部から答案用紙を運送することなく、本部で一括採点処理を実行でき、記述式設問や論述式設問の解答の採点結果を直ちにコンピュータデータとして利用でき、同一答案用紙の採点を複数の採点者で同時に分業し、設問毎の採点を１人の採点者が担当できる、答案採点方法／システムを提供する。【解決手段】各地区支部１１〜１ｎは、答案用紙の答案データを本部２に送信し、本部２は、択一式設問や簡易の記述式設問について自動採点処理を実行するとともに、記述式設問や論述式設問について、設問毎に、当該設問の採点担当者の採点者端末２２１〜２２ｍに答案データ中の当該設問部分を表示し、採点処理を実行させる。さらに、本部２は、最終的に答案用紙上に採点結果として印字される印字データを各地区支部１１〜１ｎに送信する。各地区支部１１〜１ｎは、答案用紙上に採点結果の印字データを印字したものを各受験者に返却する。【選択図】　　　図１
2004069746.tif 000002
【特許請求の範囲】
【請求項１】
１つ以上の試験会場に受験者を集合させた上で実施される大規模な筆記試験の答案について一括採点処理を施す答案採点方法であって、
前記試験会場で回収した答案用紙の答案データを、当該試験会場を管轄する各地区支部側に設置された各支部側システムサーバから本部側に設置された本部側システムサーバへ、ネットワークを介して送信するステップと、
前記本部側システムサーバが、前記各支部側システムサーバから前記ネットワークを介して送信されてきた全受験者の答案データを受信するステップと、
前記本部側システムサーバが、全受験者の答案データについて一括採点処理を施し、最終的に前記答案用紙上に採点結果として印字される印字データを作成するステップと、
前記本部側システムサーバが、前記印字データを前記ネットワークを介して前記各支部側システムサーバに送信するステップとを有する答案採点方法。
【請求項２】
前記本部側システムサーバが、全受験者の答案データ中の択一式設問または簡易の記述式設問について、自動採点処理を実行するステップと、
前記本部側システムサーバが、全受験者の答案データ中の記述式設問または論述式設問について、設問毎に、当該設問の採点を担当する採点者の端末に全受験者の答案データ中の当該設問部分を表示し、該端末上で採点処理を実行させるステップとをさらに有する、請求項１に記載の答案採点方法。
【請求項３】
１つ以上の試験会場に受験者を集合させた上で実施される大規模な筆記試験の答案について一括採点処理を施す答案採点方法であって、
前記試験会場で回収した答案用紙の答案データを、当該試験会場を管轄する各地区支部側に設置された各支部側システムサーバから本部側に設置された本部側システムサーバへ、ネットワークを介して送信するステップと、
前記本部側システムサーバが、前記各支部側システムサーバから前記ネットワークを介して送信されてきた全受験者の答案データを受信するステップと、
前記本部側システムサーバが、全受験者の答案データ中の択一式設問または簡易の記述式設問について、自動採点処理を実行するステップと、
前記本部側システムサーバが、全受験者の答案データ中の記述式設問または論述式設問について、設問毎に、当該設問の採点を担当する採点者の端末に全受験者の答案データ中の当該設問部分を表示し、該端末上で採点処理を実行させるステップとを有する答案採点方法。
【請求項４】
前記本部側システムサーバが、最終的に前記答案用紙上に採点結果として印字される印字データを作成するステップと、
前記本部側システムサーバが、前記印字データを前記ネットワークを介して前記各支部側システムサーバに送信するステップとをさらに有する、請求項３に記載の答案採点方法。
【請求項５】
前記本部側システムサーバが、前記自動採点処理および前記採点者による採点処理の採点結果を利用して、該採点結果の分析／集計を行うステップをさらに有する、請求項２から４のいずれか１項に記載の答案採点方法。
【請求項６】
前記本部側システムサーバが、前記採点者に採点処理を実行させる場合に、前記端末上でペンタッチ方式またはキー入力方式により採点処理を実行させる、請求項２から５のいずれか１項に記載の答案採点方法。
【請求項７】
１つ以上の試験会場に受験者を集合させた上で実施される大規模な筆記試験の答案について一括採点処理を施す答案採点システムであって、
前記試験会場を管轄する各地区支部側に設置され、当該試験会場で回収した答案用紙の答案データをネットワーク上に送出する支部側システムサーバと、
前記各支部側システムサーバが前記ネットワーク上に送出した全受験者の答案データを受信するデータ送受信手段、全受験者の答案データについて一括採点処理を施す採点手段、最終的に前記答案用紙上に採点結果として印字される印字データを作成し、該印字データを前記データ送受信手段から前記ネットワークを介して前記各支部側システムサーバに送信する印字データ作成手段を具備し、本部側に設置された本部側システムサーバと、を有する答案採点システム。
【請求項８】
前記採点手段は、
全受験者の答案データ中の択一式設問または簡易の記述式設問について、自動採点処理を実行する第１の採点手段と、
全受験者の答案データ中の記述式設問または論述式設問について、設問毎に、当該設問の採点を担当する採点者の端末に全受験者の答案データ中の当該設問部分を表示し、該端末上で採点処理を実行させる第２の採点手段とを有する、請求項７に記載の答案採点システム。
【請求項９】
１つ以上の試験会場に受験者を集合させた上で実施される大規模な筆記試験の答案について一括採点処理を施す答案採点システムであって、
前記試験会場を管轄する各地区支部側に設置され、当該試験会場で回収した答案用紙の答案データをネットワーク上に送出する支部側システムサーバと、
前記各支部側システムサーバが前記ネットワーク上に送出した全受験者の答案データを受信するデータ送受信手段、全受験者の答案データ中の択一式設問または簡易の記述式設問について、自動採点処理を実行する第１の採点手段、および全受験者の答案データ中の記述式設問または論述式設問について、設問毎に、当該設問の採点を担当する採点者の端末に全受験者の答案データ中の当該設問部分を表示し、該端末上で採点処理を実行させる第２の採点手段を具備し、本部側に設置された本部側システムサーバと、を有する答案採点システム。
【請求項１０】
前記本部側システムサーバは、最終的に前記答案用紙上に採点結果として印字される印字データを作成し、該印字データを前記データ送受信手段から前記ネットワークを介して前記各支部側システムサーバに送信する印字データ作成手段をさらに有する、請求項９に記載の答案採点システム。
【請求項１１】
前記本部側システムサーバは、前記第１の採点手段における前記自動採点処理および前記第２の採点手段における前記採点者による採点処理の採点結果を利用して、該採点結果の分析／集計を行うデータ分析／集計手段をさらに有する、請求項８から１０のいずれか１項に記載の答案採点システム。
【請求項１２】
前記第２の採点手段は、前記採点者に採点処理を実行させる場合に、前記端末上でペンタッチ方式またはキー入力方式により採点処理を実行させる、請求項８から１１のいずれか１項に記載の答案採点システム。
【請求項１３】
１つ以上の試験会場に受験者を集合させた上で実施される大規模な筆記試験の答案について一括採点処理を施すシステムサーバに実行させるためのプログラムであって、
前記試験会場で回収した全受験者の答案用紙の答案データをネットワークを介して受信した場合、全受験者の答案データについて一括採点処理を施し、最終的に前記答案用紙上に印字される採点結果の印字データを作成する命令セットと、前記印字データを前記ネットワークを介して、前記試験会場を管轄する別のシステムサーバに送信する命令セットとを有するプログラム。
【請求項１４】
１つ以上の試験会場に受験者を集合させた上で実施される大規模な筆記試験の答案について一括採点処理を施すシステムサーバに実行させるためのプログラムであって、
前記試験会場で回収した全受験者の答案用紙の答案データをネットワークを介して受信した場合、全受験者の答案データ中の択一式設問または簡易の記述式設問について、自動採点処理を実行する命令セットと、
全受験者の答案データ中の記述式設問または論述式設問について、設問毎に、当該設問の採点を担当する採点者の端末に全受験者の答案データ中の当該設問部分を表示し、採点処理を実行させる命令セットとを有するプログラム。
【発明の詳細な説明】
【０００１】
【発明の属する技術分野】
本発明は、１つ以上の試験会場に受験者を集合させた上で実施される大規模な筆記試験の答案について一括採点処理を施す、答案採点方法、答案採点システム、プログラムに関する。
【０００２】
【従来の技術】
従来、学習塾や予備校等の本部で模擬試験等の全国規模の筆記試験を実施する場合、各地区支部が管轄する各試験会場に受験者を集合させた上で、一定の環境下（試験時間の制限、辞書等の使用禁止等）で試験を実施する。
【０００３】
そして、本部が各地区支部から答案用紙を回収した上で一括採点処理を施し、採点した答案用紙を各支部に返送し、各支部から受験者に返却している。
【０００４】
その際、本部における記述式設問や論述式設問の解答の採点は、全て手書きで行われ、その採点結果の集計もマニュアルによる入力作業が必要とされる。
【０００５】
【発明が解決しようとする課題】
しかしながら、上述したような従来技術においては、本部で答案用紙を回収するために、各地区支部から本部へ答案用紙を運送する必要があり、その運送中に答案用紙が紛失する可能性があるという問題点がある。
【０００６】
また、記述式設問や論述式設問の採点結果を直ちにコンピュータデータとして利用することができず、採点結果をコンピュータデータとして利用するには、別個のインプット作業が必要になるという問題点がある。
【０００７】
また、同一答案用紙の採点を複数の採点者で同時に分業することができないため、設問毎の採点を１人の採点者が担当する場合、その採点者は他の採点者による採点処理が終了するまで待たされることもあり、採点処理に多大な時間を要してしまうという問題点がある。さらに、このような理由により、従来は設問毎の採点を複数の採点者で分業していたため、その設問の解答の評価にばらつきが生じてしまうという問題点もある。
【０００８】
そこで、本発明の目的は、各地区支部から本部へ答案用紙を運送することなく、本部で一括採点処理を実行することができる、答案採点方法、答案採点システム、プログラムを提供することにある。
【０００９】
本発明の別の目的は、記述式設問や論述式設問の解答の採点結果を直ちにコンピュータデータとして利用することができる、答案採点方法、答案採点システム、プログラムを提供することにある。
【００１０】
本発明のさらに別の目的は、同一答案用紙の採点を複数の採点者で同時に分業し、設問毎の採点を１人の採点者が担当することができる、答案採点方法、答案採点システム、プログラムを提供することにある。
【００１１】
【課題を解決するための手段】
上記目的を達成するために本発明の一態様による答案採点方法は、１つ以上の試験会場に受験者を集合させた上で実施される大規模な筆記試験の答案について一括採点処理を施す答案採点方法であって、前記試験会場で回収した答案用紙の答案データを、当該試験会場を管轄する各地区支部側に設置された各支部側システムサーバから本部側に設置された本部側システムサーバへ、ネットワークを介して送信するステップと、前記本部側システムサーバが、前記各支部側システムサーバから前記ネットワークを介して送信されてきた全受験者の答案データを受信するステップと、前記本部側システムサーバが、全受験者の答案データについて一括採点処理を施し、最終的に前記答案用紙上に採点結果として印字される印字データを作成するステップと、前記本部側システムサーバが、前記印字データを前記ネットワークを介して前記各支部側システムサーバに送信するステップとを有することを特徴とするものである。
【００１２】
この場合、各地区支部側では、答案用紙を保管したままで、その採点結果を印字データとして入手することが可能であり、各受験者に対しては、答案用紙上に採点結果の印字データを印字したものを返却することとなる。従って、各地区支部から本部へ答案用紙を運送する必要がなくなるため、その運送中に答案用紙が紛失することがなくなる。
【００１３】
上記目的を達成するために本発明の他の態様による答案採点方法は、１つ以上の試験会場に受験者を集合させた上で実施される大規模な筆記試験の答案について一括採点処理を施す答案採点方法であって、前記試験会場で回収した答案用紙の答案データを、当該試験会場を管轄する各地区支部側に設置された各支部側システムサーバから本部側に設置された本部側システムサーバへ、ネットワークを介して送信するステップと、前記本部側システムサーバが、前記各支部側システムサーバから前記ネットワークを介して送信されてきた全受験者の答案データを受信するステップと、前記本部側システムサーバが、全受験者の答案データ中の択一式設問または簡易の記述式設問について、自動採点処理を実行するステップと、前記本部側システムサーバが、全受験者の答案データ中の記述式設問または論述式設問について、設問毎に、当該設問の採点を担当する採点者の端末に全受験者の答案データ中の当該設問部分を表示し、該端末上で採点処理を実行させるステップとを有することを特徴とするものである。
【００１４】
この場合、同一答案用紙の採点を複数の採点者で同時に分業し、設問毎の採点を１人の採点者で担当することが可能となる。従って、一括採点処理に要する時間を短縮することができ、設問の解答の評価にばらつきが生じることがなくなる。
【００１５】
上記目的を達成するために本発明の一態様による答案採点システムは、１つ以上の試験会場に受験者を集合させた上で実施される大規模な筆記試験の答案について一括採点処理を施す答案採点システムであって、前記試験会場を管轄する各地区支部側に設置され、当該試験会場で回収した答案用紙の答案データをネットワーク上に送出する支部側システムサーバと、前記各支部側システムサーバが前記ネットワーク上に送出した全受験者の答案データを受信するデータ送受信手段、全受験者の答案データについて一括採点処理を施す採点手段、最終的に前記答案用紙上に採点結果として印字される印字データを作成し、該印字データを前記データ送受信手段から前記ネットワークを介して前記各支部側システムサーバに送信する印字データ作成手段を具備し、本部側に設置された本部側システムサーバとを有することを特徴とするものである。
【００１６】
上記目的を達成するために本発明の他の態様による答案採点システムは、１つ以上の試験会場に受験者を集合させた上で実施される大規模な筆記試験の答案について一括採点処理を施す答案採点システムであって、前記試験会場を管轄する各地区支部側に設置され、当該試験会場で回収した答案用紙の答案データをネットワーク上に送出する支部側システムサーバと、前記各支部側システムサーバが前記ネットワーク上に送出した全受験者の答案データを受信するデータ送受信手段、全受験者の答案データ中の択一式設問または簡易の記述式設問について、自動採点処理を実行する第１の採点手段、および全受験者の答案データ中の記述式設問または論述式設問について、設問毎に、当該設問の採点を担当する採点者の端末に全受験者の答案データ中の当該設問部分を表示し、該端末上で採点処理を実行させる第２の採点手段を具備し、本部側に設置された本部側システムサーバとを有することを特徴とするものである。
【００１７】
上記目的を達成するために本発明の一態様によるプログラムは、１つ以上の試験会場に受験者を集合させた上で実施される大規模な筆記試験の答案について一括採点処理を施すシステムサーバに実行させるためのプログラムであって、前記試験会場で回収した全受験者の答案用紙の答案データをネットワークを介して受信した場合、全受験者の答案データについて一括採点処理を施し、最終的に前記答案用紙上に印字される採点結果の印字データを作成する命令セットと、前記印字データを前記ネットワークを介して、前記試験会場を管轄する別のシステムサーバに送信する命令セットとを有することを特徴とするものである。
【００１８】
上記目的を達成するために本発明の他の態様によるプログラムは、１つ以上の試験会場に受験者を集合させた上で実施される大規模な筆記試験の答案について一括採点処理を施すシステムサーバに実行させるためのプログラムであって、前記試験会場で回収した全受験者の答案用紙の答案データをネットワークを介して受信した場合、全受験者の答案データ中の択一式設問または簡易の記述式設問について、自動採点処理を実行する命令セットと、全受験者の答案データ中の記述式設問または論述式設問について、設問毎に、当該設問の採点を担当する採点者の端末に全受験者の答案データ中の当該設問部分を表示し、採点処理を実行させる命令セットとを有することを特徴とするものである。
【００１９】
【発明の実施の形態】
以下に、本発明の実施の形態について図面を参照して説明する。なお、本発明は、１つ以上の試験会場に受験者を集合させた上で実施される大規模な筆記試験であればいかなる試験にも適用可能であるが、以下では、学習塾や予備校等で全国規模で実施される大学入試の模擬試験に適用した場合を例に挙げて説明する。
【００２０】
図１を参照すると、本発明の一実施形態による答案採点システムは、１つ以上の試験会場に受験者を集合させた上で模擬試験等の筆記試験を実施する学習塾や予備校等の本部２に設置された本部側システムサーバ２０と、試験会場を管轄するｎ箇所（ｎは自然数）の地区支部１１〜１ｎに各々設置された支部側システムサーバ１０１〜１０ｎとがＷＡＮ（Ｗｉｄｅ　Ａｒｅａ　Ｎｅｔｗｏｒｋ）等であるネットワーク３を介して相互に接続された構成となっている。なお、地区支部１１〜１ｎが管轄する試験会場の数は、１つである必要はなく、２つ以上の場合もある。
【００２１】
さらに、本部２は、上述の本部側システムサーバ２０と、複数のデータベースからなるデータベース群２１と、ｍ人（ｍは自然数）の採点者が各々使用する採点者端末２２１〜２２ｍとが、ＬＡＮ（Ｌｏｃａｌ　Ａｒｅａ　Ｎｅｔｗｏｒｋ）等であるネットワークを介して相互に接続された構成となっている。なお、採点者端末２２１〜２２ｍは、必ずしも本部２の内部に設ける必要はなく、例えば、各採点者の自宅等に設置し、ネットワーク３に接続する構成としても良い。
【００２２】
また、各地区支部１１〜１ｎは、上述の支部側システムサーバ１０１〜１０ｎと、複数のデータベースからなるデータベース群１１１〜１１ｎと、キーボード、マウス、イメージスキャナー等からなる入力装置１２１〜１２ｎと、プリンター等である出力装置１３１〜１３ｎとが、ＬＡＮ等であるネットワークを介して相互に接続された構成となっている。
【００２３】
ここで、本部側システムサーバ２０および支部側システムサーバ１０１〜１０ｎの詳細な構成について、図２および図３を参照して説明する。ここでは、支部側システムサーバ１０１の構成について説明するが、他の支部側システムサーバ１０２〜１０ｎも同様の構成となっている。
【００２４】
図２を参照すると、本部側システムサーバ２０は、支部側システムサーバ１０１〜１０ｎとの間で各種データを送受信するデータ送受信部２０２と、データベース群２１（図１参照）を構成するデータベース２１１〜２１９を管理するデータ管理部２０３と、図４に示すような答案用紙に対し、図５（ａ）に示すような一括採点処理（ただし、一部便宜的に表示している部分を含むが、その説明については後述する）を施し該採点結果の管理を行う採点管理部２０４と、最終的に答案用紙上に採点結果として印字される、図５（ｂ）に示すような印字データを作成する印字データ作成部２０５と、受験者データや採点結果データ等の各種データの分析／集計を行うデータ分析／集計部２０６と、これらの構成要素を統括管理する統括管理部２０１とを有している。
【００２５】
採点管理部２０４は、択一式設問や簡易の記述式設問の解答を自動的に採点し、その採点結果を管理する自動採点部分管理部２０４１と、記述式設問や論述式設問の解答を、設問毎の採点者に採点者端末２２１〜２２ｍを用いて採点させ、その採点結果を管理する採点者採点部分管理部２０４２とを有している。なお、簡易の記述式設問とは、例えば、その解答が所定数以下の文字からなる単語等となるような設問のことであり、また、論述式設問とは、例えば、その解答が小論文等の長文となるような設問のことである。
【００２６】
図３を参照すると、支部側システムサーバ１０１は、本部側システムサーバ２０との間で各種データを送受信するデータ送受信部１０２と、データベース群１１１（図１参照）を構成するデータベース１１１〜１１４を管理するデータ管理部１０３と、出力装置１３１による各種出力情報（答案用紙原本上に採点結果を印字するための印字データ（なお、印字データを印字された答案用紙原本の態様は図６に示すとおり）や、受験者に交付する分析結果等の情報）の出力を管理する情報出力管理部１０５と、入力装置１２１による各種入力情報（図４に示すような答案用紙に基づく答案情報や、図７に示すような志望データ入力表に基づく志望大学等の情報）の入力を管理する情報入力管理部１０４と、これらの構成要素を統括管理する統括管理部１０１とを有している。
【００２７】
なお、本部２内のデータベース群２１を構成するデータベース２１１〜２１９の各々には、図８〜図１６に示すようなデータが記録されているが、その説明は後述する。同様に、各地区支部１１〜１ｎ内のデータベース群１１１〜１１ｎを構成するデータベース１１１〜１１４の各々には、図１７〜図２０に示すようなデータが記録されているが、その説明は後述する。
【００２８】
以下に、上記のように構成された答案採点システムの動作について、フローチャートを参照して説明する。
【００２９】
最初に、試験会場で模擬試験が実施されるまでの流れについて、図２１のフローチャートを参照して説明する。
【００３０】
各地区支部１１〜１ｎでは、受験の申込みの受け付け時に受験者から得た受験者情報を入力装置１２１〜１２ｎに入力する（ステップ２１０１）。受験の申込み時に必要な受験者情報としては、受験者の氏名や住所の他、図７に示すような志望データ入力表に基づく志望大学、志望学部等の情報である。ただし、この志望データ入力表は、試験会場で試験を実施する際に受験者に配布し記入させ、答案用紙と共に回収することとしても良い。この受験者情報は、図１７に示すような各地区支部１１〜１ｎ内の各種コード情報データベース１１１を可能な限り利用してコード化する。なお、各地区支部１１〜１ｎ内の各種コード情報データベース１１１は、図８に示すような本部２内の各種コード情報データベース２１１と同じコード体系となっている。
【００３１】
各支部側システムサーバ１０１〜１０ｎでは、情報入力管理部１０４の管理下において入力装置１２１〜１２ｎから入力された受験者情報データを、統括管理部１０１およびデータ管理部１０３を介して、図１８に示すように自地区受験者情報データベース１１２に登録する（ステップ２１０２）。なお、この時点では、自地区受験者情報データベース１１２の成績欄は空欄になっている。
【００３２】
さらに、各支部側システムサーバ１０１〜１０ｎでは、自地区受験者情報データベース１１２に登録されたデータを、統括管理部１０１およびデータ送受信部１０２を介して、本部側システムサーバ２０に送信する（ステップ２１０３）。
【００３３】
本部側システムサーバ２０では、各支部側システムサーバ１０１〜１０ｎからの受験者情報データをデータ送受信部２０２で受信し（ステップ２１０４）、その受験者情報データを、統括管理部２０１、およびデータ管理部２０３を介して、図９に示すように受験者情報データベース２１２に登録する（ステップ２１０５）。なお、この時点では、受験者情報データベース２１２の成績欄は空欄になっている。
【００３４】
また、本部側システムサーバ２０では、模擬試験の設問が作成された段階で、その設問データ（各設問の属性情報（択一式設問、記述式設問、論述式設問）のデータや、記述式設問や論述式設問の採点を担当する採点者の情報のデータ等）を、データ管理部２０３を介して、図１０に示すように設問情報データベース２１３に登録する（ステップ２１０６）。
【００３５】
さらに、本部側システムサーバ２０では、模擬試験の模範解答が作成された段階で、その模範解答データを、データ管理部２０３を介して、図１１に示すように模範解答情報データベース２１４に登録する（ステップ２１０７）。
【００３６】
次に、試験会場で試験が実施された以降の流れについて、図２２のフローチャートを参照して説明する。
【００３７】
各地区支部１１〜１ｎでは、試験会場に受験者を集合させた上で模擬試験を実施し、その試験が終了した時点で、図４に示すような答案用紙を回収し、その答案用紙に基づく答案データを入力装置１２１〜１２ｎに入力する（ステップ２２０１）。以降の説明では、受験の申込み時に、図７に示すような志望データ入力表を受験者に配布し記入させ、この志望データ入力表に基づく志望大学等の受験者情報を、ステップ２１０１〜２１０５の処理を経て、各支部側システムサーバ１０１〜１０ｎの自地区受験者情報データベース１１２および本部２の受験者情報データベース２１２に既に登録しているものとして説明する。なお、上述したように、試験会場で模擬試験を実施する際に、受験者に志望データ入力表を配布し記入させ、答案用紙と共に回収することとしても良く、その場合には、答案用紙と共に志望データ入力表を回収した時点でステップ２１０１〜２１０５の処理を実行する。
【００３８】
各支部側システムサーバ１０１〜１０ｎでは、情報入力管理部１０４の管理下において入力装置１２１〜１２ｎから入力された答案データを、統括管理部１０１およびデータ送受信部１０２を介して、本部側システムサーバ２０に送信する（ステップ２２０２）。その際、各支部側システムサーバ１０１〜１０ｎは、答案データをイメージデータとして本部側システムサーバ２０に送信することとしても良く、あるいは、受験者情報の入力欄（地区、受験番号、氏名）や設問の解答欄等を座標等の位置情報に変換し、択一式設問や簡易の記述式設問の解答部分を文字コード等のコードデータに変換し、記述式設問や論述式設問の解答部分をイメージデータのままとした形式で本部側システムサーバ２０に送信することとしても良い。なお、各支部側システムサーバ１０１〜１０ｎから本部側システムサーバ２０に、答案データをイメージデータとして送信する場合には、上述の位置情報やコードデータへの変換は、本部側システムサーバ２０の内部で行われることになる。
【００３９】
本部側システムサーバ２０では、各支部側システムサーバ１０１〜１０ｎからの答案データをデータ送受信部２０２で受信し（ステップ２２０３）、その答案データを、統括管理部２０１およびデータ管理部２０３を介して、図１２に示すように答案情報データベース２１５に登録する（ステップ２２０４）。
【００４０】
続いて、本部側システムサーバ２０では、採点管理部２０４が、統括管理部２０１およびデータ管理部２０３を介して、答案情報データベース２１５の答案データ、設問情報データベース２１３の設問データ、および模範解答情報データベース２１４の模範解答データを読み出す（ステップ２２０５）。そして、採点管理部２０４は、設問情報データベース２１３の設問データ中の各設問の属性情報（択一式設問、記述式設問、論述式設問）に基づいて、自動採点部分／採点者採点部分の振り分けを行う（ステップ２２０６）。
【００４１】
自動採点部分管理部２０４１は、択一式設問や簡易の記述式設問の自動採点部分（本実施形態に係る試験では、設問１，２，４）について、自動採点処理を実行する（ステップ２２０７）。
【００４２】
一方、採点者採点部分管理部２０４２は、記述式設問や論述式設問の採点者採点部分（本実施形態に係る試験では、「設問３▲１▼」「設問３▲２▼」「設問５」）について、各設問を担当する採点者に採点者端末２２１〜２２ｍを用いて採点処理を実行させる（ステップ２２０８）。具体的には、採点者採点部分管理部２０４２は、図４に示すような答案用紙中の記述式設問である「設問３▲１▼」「設問３▲２▼」「設問５」について、その設問の採点を各々担当する採点者＃１，＃２，＃ｍを認識する。そして、採点者＃１の採点者端末２２１宛てに「設問３▲１▼」の模範解答データおよび全受験者の答案データを、採点者＃２の採点者端末２２２宛てに「設問３▲２▼」の模範解答データおよび全受験者の答案データを、採点者＃ｍの採点者端末２２ｍ宛てに「設問５」の模範解答データおよび全受験者の答案データを送信する。その後、採点者＃１は、受信したデータを採点者端末２２１の画面上に表示し、全受験者の「設問３▲１▼」の答案データについて、ペンタッチ方式やキー入力方式により採点過程や採点結果を入力する。また、採点者＃２，＃ｍも、同様に採点過程や採点結果を入力する。
【００４３】
また、ステップ２２０８で模範解答データおよび答案データを採点者端末に送信せず、採点者が採点者端末から一定期間内にアクセスすることにより、採点を行うようにしてもよい。この場合のステップ２２０８の処理について、図２３のフローチャートを参照して詳細に説明する。
【００４４】
例えば、「設問３▲１▼」を担当する採点者＃１が採点者端末２２１からアクセスしてきた場合、採点者採点部分管理部２０４２は、その採点者＃１に予め付与してあるＩＤ番号やパスワード等を入力させることで採点者＃１の認証を行う（ステップ２３０１）。
【００４５】
採点者採点部分管理部２０４２は、採点者＃１の認証に成功すると、設問情報データベース２１３を参照することにより採点者＃１が採点を担当する設問を特定し、この場合、採点者＃１の採点者端末２２１の画面に「設問３▲１▼」の模範解答データおよび全受験者の答案データを表示する（ステップ２３０２）。
【００４６】
その後、採点者＃１は、採点者端末２２１上で、全受験者の「設問３▲１▼」の答案データについて、ペンタッチ方式やキー入力方式により採点過程や採点結果を入力する（ステップ２３０３）。
【００４７】
なお、他の採点者＃２，＃ｍが採点者端末２２２，２２ｍからアクセスしてきた場合も、上述のステップ２３０１〜２３０３と同様の処理が行われ、これらの設問についての採点が、採点者＃２，＃ｍにより採点者端末２２２，２２ｍ上で各々実行される。
【００４８】
上述のようなステップ２２０７における自動採点処理、およびステップ２２０８における採点者による採点処理により、図４に示すような答案用紙は、図５（ａ）に示すように採点処理が施されることになる。なお、図５（ａ）は、説明の便宜のために、実際の採点部分だけでなく記述式設問や論述式設問（「設問３▲１▼」、「設問３▲２▼」、「設問５」の部分）の受験者による解答部分、罫線や解答欄等も併せて示しているが、実際の採点部分だけを示したものが図５（ｂ）となる。
【００４９】
続いて、本部側システムサーバ２０では、図５（ａ）、（ｂ）に示すように採点処理が施された採点結果を、統括管理部２０１およびデータ管理部２０３を介して、図１３に示すように採点結果情報データベース２１６に登録する（ステップ２２０９）。
【００５０】
次に、印字データ作成管理部２０３は、最終的に答案用紙上に採点結果として印字する印字データとして、図５（ｂ）に示すような印字データを作成し（ステップ２２１０）、その印字データを、統括管理部２０１およびデータ管理部２０３を介して、図１４に示すように印字データ情報情報データベース２１７に登録する（ステップ２２１１）。
【００５１】
データ分析／集計部２０６は、全試験科目についての採点処理が終了した時点で、統括管理部２０１およびデータ管理部２０３を介して、採点結果情報データベース２１６の採点結果データ、受験者情報データベース２１２の受験者データ、および図１５に示すような各種統計情報データベース２１８の統計データを読み出す（ステップ２２１２）。そして、データ分析／集計部２０６は、平均点、受験者毎の総得点や順位や偏差値、設問毎の正答率や志望校別等の各種指標等の採点結果の分析／集計を行い（ステップ２２１３）、その分析／集計結果を、統括管理部２０１およびデータ管理部２０３を介して、受験者情報データベース２１２の成績欄に登録すると共に、図１６に示すように各種分析情報データベース２１９に登録する（ステップ２２１４）。
【００５２】
次に、データ送受信部２０２は、統括管理部２０１およびデータ管理部２０３を介して、受験者毎に、受験者情報データベース２１２の受験者データ、採点結果情報データベース２１６の採点結果データ、および印字データ情報データベース２１７の印字データを読み出す（ステップ２２１５）。そして、それらのデータを各地区支部１１〜１ｎ宛の送信データとして編集した上で（ステップ２２１６）、各地区支部１１〜１ｎの支部側システムサーバ１０１〜１０ｎ宛てに送信する（ステップ２２１７）。
【００５３】
各支部側システムサーバ１０１〜１０ｎでは、本部側システムサーバ２０からの上述の送信データをデータ送受信管理部１２で受信し（ステップ２２１８）、その送信データを、統括管理部１１、およびデータ管理部１３を介して、図１８に示すように自地区受験者情報データベース１１２に登録し、図１９に示すように自地区受験者採点結果情報データベース１１３に登録し、図２０に示すように自地区受験者分印字データ情報データベース１１４に登録する（ステップ２２１９）。なお、図１８〜図２０は、地区支部１１内の自地区受験者情報データベース１１２、自地区受験者採点結果情報データベース１１３、自地区受験者分印字データ情報データベース１１４を各々示している。
【００５４】
続いて、各支部側システムサーバ１０１〜１０ｎでは、情報出力管理部１０５に接続されている出力装置１３１〜１３ｎによって、図４に示すような答案用紙原本上に図５（ｂ）に示すような印字データを印字し、図６のような答案用紙を出力する（ステップ２２２０）。
【００５５】
さらに、各支部側システムサーバ１０１〜１０ｎでは、情報出力管理部１０５に接続されている出力装置１３１〜１３ｎによって、受験者毎の成績表等の受験者に交付する資料（不図示）を印字して出力する（ステップ２２２１）。
【００５６】
なお、各支部側システムサーバ１０１〜１０ｎでは、分析／集計結果のデータが必要な時は、その都度本部側システムサーバ２０にアクセスして、各種分析情報データベース２１９から所望の分析データを読み出すものとする（ステップ２２２２）。
【００５７】
以上により、図６に示すように採点結果の印字データが印字された答案用紙は、成績表その他の資料と共に、手渡し、郵送、その他の任意の手段で、各地区支部１１〜１ｎから受験者に返却される。
【００５８】
上述したように本実施形態においては、各地区支部１１〜１ｎが、答案用紙の答案データを本部２に送信し、本部２が、各地区支部１１〜１ｎからの答案データに一括採点処理を施し、最終的に答案用紙上に採点結果として印字される印字データを各地区支部１１〜１ｎに送信する。
【００５９】
それにより、各地区支部１１〜１ｎでは、答案用紙原本を保管したままで、その採点結果を印字データとして本部２から入手することができ、各受験者に対しては、答案用紙原本上に採点結果の印字データを印字したものを返却することができる。従って、各地区支部１１〜１ｎから本部２へ答案用紙原本を運送する必要がなくなるため、その運送中に答案用紙が紛失することがなくなる。
【００６０】
また、本部２では、択一式設問や簡易の記述式設問について自動採点処理を実行するとともに、記述式設問や論述式設問について、設問毎に、その設問の採点を担当する採点者の採点者端末２２１〜２２ｍに模範解答データや全受験者の答案データを表示し、採点処理を実行させる。
【００６１】
それにより、同一答案用紙の採点を複数の採点者で同時に分業し、設問毎の採点を１人の採点者で担当することができる。従って、一括採点処理に要する時間を短縮することができ、設問の解答の評価にばらつきが生じることがなくなる。
【００６２】
また、本部２では、採点者が採点者端末２２１〜２２ｍを用いて採点した、記述式設問や論述式設問の採点結果を、自動採点処理による採点結果と共にコンピュータデータとして利用し、これらの採点結果の分析／集計を行っているため、採点結果の分析／集計のための別個のインプット作業が不要となる。
【００６３】
なお、本発明においては、本部側システムサーバ２０、支部側システムサーバ１０１〜１０ｎ内の処理は上述の専用のハードウェアにより実現されるもの以外に、その機能を実現するためのプログラムをコンピュータ読取可能な記録媒体に記録し、この記録媒体に記録されたプログラムをコンピュータシステムに読み込ませ、実行するものであっても良い。コンピュータ読取可能な記録媒体とは、フロッピーディスク、光磁気ディスク、ＣＤ−ＲＯＭ等の移設可能な記録媒体の他、コンピュータシステムに内蔵されたハードディスク等の記憶装置を指す。さらに、コンピュータ読取可能な記録媒体は、ネットワークを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものを含む。
【００６４】
【発明の効果】
本発明は以上説明したように構成されているため、以下に記載されているような効果を奏する。
【００６５】
第１の効果は、各支部側システムサーバが、答案用紙の答案データを本部側システムサーバに送信し、本部側システムサーバが、答案データに一括採点処理を施し、最終的に答案用紙上に採点結果として印字される印字データを各支部側システムサーバに送信しているため、各地区支部では、答案用紙原本を保管したままで、その採点結果を印字データとして入手することができ、各受験者に対しては、答案用紙原本上に採点結果の印字データを印字したものを返却することができるということである。従って、各地区支部から本部へ答案用紙原本を運送する必要がなくなるため、その運送中に答案用紙が紛失することがなくなる。
【００６６】
第２の効果は、本部側システムサーバが、答案データ中の択一式設問または簡易の記述式設問について自動採点処理を実行するとともに、答案データ中の記述式設問または論述式設問について、設問毎に、当該設問の採点を担当する採点者の端末に答案データ中の当該設問部分のみを表示し、該端末上で採点処理を実行させているため、同一答案用紙の採点を複数の採点者で同時に分業し、設問毎の採点を１人の採点者で担当することができるということである。従って、採点処理に要する時間を短縮することができ、設問の解答の評価にばらつきが生じることがなくなる。
【００６７】
第３の効果は、採点者に端末上でペンタッチ方式またはキー入力方式により記述式設問または論述式設問を採点させ、採点結果を直ちにコンピュータデータとして利用し、採点結果の分析／集計を行っているため、採点結果の分析／集計のための別個のインプット作業が不要となるということである。
【図面の簡単な説明】
【図１】本発明の一実施形態による答案採点システムを示す図である。
【図２】図１に示した本部側システムサーバの構成を説明する図である。
【図３】図１に示した支部側システムサーバの構成を説明する図である。
【図４】本実施形態に係る答案用紙の一例を示す図である。
【図５】図４に示した答案用紙の採点結果の一例を示す図であり、（ａ）は便宜のため実際の採点部分だけでなく記述式設問や論述式設問の受験者による解答部分、罫線や解答欄等も併せ示している概念図、（ｂ）は（ａ）の採点部分だけを示す図である。
【図６】図４に示した答案用紙原本上に、図５（ｂ）に示した採点結果の印字データを印字した状態を示す図である。
【図７】本実施形態に係る志望データ入力表の一例を示す図である。
【図８】図２に示した各種コード情報データベースに記録されているデータ内容の一例を示す図である。
【図９】図２に示した受験者情報データベースに記録されているデータ内容の一例を示す図である。
【図１０】図２に示した設問情報データベースに記録されているデータ内容の一例を示す図である。
【図１１】図２に示した模範解答情報データベースに記録されているデータ内容の一例を示す図である。
【図１２】図２に示した答案情報データベースに記録されているデータ内容の一例を示す図である。
【図１３】図２に示した採点結果情報データベースに記録されているデータ内容の一例を示す図である。
【図１４】図２に示した印字データ情報データベースに記録されているデータ内容の一例を示す図である。
【図１５】図２に示した各種統計情報データベースに記録されているデータ内容の一例を示す図である。
【図１６】図２に示した各種分析情報データベースに記録されているデータ内容の一例を示す図である。
【図１７】図３に示した各種コード情報データベースに記録されているデータ内容の一例を示す図である。
【図１８】図３に示した自地区受験者情報データベースに記録されているデータ内容の一例を示す図である。
【図１９】図３に示した自地区受験者採点結果情報データベースに記録されているデータ内容の一例を示す図である。
【図２０】図３に示した自地区受験者分印字データ情報データベースに記録されているデータ内容の一例を示す図である。
【図２１】図１〜図３に示した答案採点システムにおける、試験実施前の動作を説明するフローチャートである。
【図２２】図１〜図３に示した答案採点システムにおける、試験実施以降の動作を説明するフローチャートである。
【図２３】図２２に示したステップ２２０８の処理を詳細に説明するフローチャートである。
【符号の説明】
１１〜１ｎ　　地区支部
２　　本部
３　　ネットワーク
１０１〜１０ｎ　　支部側システムサーバ
１１１〜１１ｎ　　データベース群
１２１〜１２ｎ　　入力装置
１３１〜１３ｎ　　出力装置
２０　　本部側システムサーバ
２１　　データベース群
２２１〜２２ｍ　　採点者端末
１０１　　統括管理部
１０２　　データ送受信部
１０３　　データ管理部
１０４　　情報入力管理部
１０５　　情報出力管理部
１１１　　各種コード情報データベース
１１２　　自地区受験者情報データベース
１１３　　自地区受験者採点結果情報データベース
１１４　　自地区受験者分印字データ情報データベース
２０１　　統括管理部
２０２　　データ送受信部
２０３　　データ管理部
２０４　　採点管理部
２０４１　　自動採点部分管理部
２０４２　　採点者採点部分管理部
２０５　　印字データ作成部
２０６　　データ分析／集計部
２１１　　各種コード情報データベース
２１２　　受験者情報データベース
２１３　　設問情報データベース
２１４　　模範解答情報データベース
２１５　　答案情報データベース
２１６　　採点結果情報データベース
２１７　　印字データ情報データベース
２１８　　各種統計情報データベース
２１９　　各種分析情報データベース
【図１】
2004069746.tif 000003
【図２】
2004069746.tif 000004
【図３】
2004069746.tif 000005
【図４】
2004069746.tif 000006
【図５】
2004069746.tif 000007
【図６】
2004069746.tif 000008
【図７】
2004069746.tif 000009
【図８】
2004069746.tif 000010
【図９】
2004069746.tif 000011
【図１０】
2004069746.tif 000012
【図１１】
2004069746.tif 000013
【図１２】
2004069746.tif 000014
【図１３】
2004069746.tif 000015
【図１４】
2004069746.tif 000016
【図１５】
2004069746.tif 000017
【図１６】
2004069746.tif 000018
【図１７】
2004069746.tif 000019
【図１８】
2004069746.tif 000020
【図１９】
2004069746.tif 000021
【図２０】
2004069746.tif 000022
【図２１】
2004069746.tif 000023
【図２２】
2004069746.tif 000024
【図２３】
2004069746.tif 000025